(57)【要約】【課題】家具構成の自由度の範囲がより広い家具用ユニット、及びこれを用いた自由構成型家具を提供する。【解決手段】家具用ユニットは、矩形面からなる六面体のうちの１対の対向面を開放し、該開放面を基準にして縦、横、寸法及びこれに垂直な奥行の寸法を設定してなる箱枠と、該箱枠を構成する矩形平板の突き合わせ角部の各辺を挟む木口領域の角辺対称の位置に、等間隔で奥行き方向に配列形成した複数の連結部と、から構成している。連結部の形成位置は、相互に等間隔であって、両端側は直近の開放面から同一寸法としている。連結部の構成は、円柱棒状の連結片と、該連結片の両端部が密着嵌合し得る口径で形成した嵌合孔と、から構成している。家具は、各ユニットを角辺の各木口領域に設けた連結部を用いて着脱自在に連結させることによって自由な仕様に、かつ組み替え可能に構成している。【選択図】      図２
2009125095.tif 000002
【特許請求の範囲】
【請求項１】
矩形面からなる六面体のうちの１対の対向面を開放し、該開放面（２１）を基準にして縦、横、寸法及びこれに垂直な奥行の寸法を設定してなる箱枠（２）と、
該箱枠（２）を構成する矩形平板の突き合わせ角部の各辺（２２、２２、・・）を挟む木口領域の各辺対称の位置に、等間隔で奥行き方向に配列形成した２以上の連結部（３）と、
から成ることを特徴とする家具用ユニット。
【請求項２】
連結部（３）の形成において、
該配列形成した連結部（３）のうちの両端の連結部（３）を、それぞれ開放面（２１）から同一寸法位置に形成したことを特徴とする請求項１記載の家具用ユニット。
【請求項３】
上記請求項１、又は請求項２の記載の連結部（３）と、
該連結部（３）の配列構成を規定する角部の辺（２２）の構成を１の連結構成単位（４）とし、この連結構成単位（４）の整数倍を配列形成した箱枠（２）と、
から成ることを特徴とする家具用ユニット。
【請求項４】
請求項３記載の連結構成単位（４）において、
両端の連結部（３）の開放面（２１）からの寸法を、該連結部（３）の配列間隔の略半分に設定したことを特徴とする家具用ユニット。
【請求項５】
上記連結部（３）を、
円柱棒状の連結片（３１）と、該連結片（３１）の両端部が密着嵌合し得る口径で形成した嵌合孔（３２）と、から構成したことを特徴とする請求項１、２、３、又は４記載の家具用ユニット。
【請求項６】
請求項１乃至５記載の家具用ユニット（１）の同形及び（又は）異形の複数個を、角部の各木口領域に設けた連結部（３）を用いて着脱自在に連結させることによって、自由な仕様に組み立て、かつ組み替え可能に構成したことを特徴とする家具用ユニットを用いた自由構成型家具。
【請求項７】
少なくとも両端部の片面又は両面に、前記連結構成単位（４）の構成に対応した連結部（３）を板幅方向に沿って形成してなる棚板（８）を組み合せて成ることを特徴とする請求項６記載の家具用ユニットを用いた自由構成型家具。
【発明の詳細な説明】
【技術分野】
【０００１】
本願発明は自由構成型の家具に関する、詳しくは、寸法に一定の関連性を持たせて形成した箱型の家具用ユニットを、使用者の好みに応じて適宜の個数を自由に組み合わせて構成することができる自由構成型家具に関する。
【背景技術】
【０００２】
通常、一般に使用される家具は、例えば、机、本箱、テーブル、またはサイドボード等は、家具製造メーカーが企画した設計寸法で製造した既製仕様のものが殆どであった。また、種々の寸法で家具の各構成部品を他種類に揃えて置き、これを使用者が自分好みの仕様に必要な各構成部品を必要なだけ選択して購入し、そして組み立てるものも存在していた。例えば、特許文献１に示す「押入れ等の収納空間の組立て収納棚」などである。
【０００３】
しかし、かかる仕様の家具は、いわゆる家具のキット販売であって、例えば、収納棚であれば、その棚板の間隔や幅や奥行きを好みの仕様にすることができるようにしたものであって、それ自体での単独使用を予定したものではなかった。
【０００４】
さらに、通称「システム家具」と称されているものがある。これは各構築部品が一定の機能を持っており、適宜これらを組み合わせて所望の作業空間や生活空間を構築するものである。これらは、例えば、特許文献２に示す「机およびベッドを含むシステム家具」として開示されているような、種々の幅と奥行きを持った天板に好みの高さ脚部や脚板を取り付けでディスクを形成すると共に、必要により袖机やサイドテーブルを配置し、そして全面にはパーテーションや収納棚や本棚を、又は上位にはベッドや頭上収納空間を配置する構成を採ったものである。
【０００５】
しかし、これらも同様に構築部品点数とその規模の大きさの相違であって、仕様構成の選択を自由にしたものに過ぎないため、その構成の自由度の範囲には限度があり、組み立て解体を自在にして構成を自由に変更することができるものはなかった。
【０００６】
次に、本願発明にもっとも近似した開示技術として、特許文献３に示す「組立て整理棚」が開示されている。この整理棚は、組み付け接合用の連結穴を設けた方形中空状の単位箱体を、上下、左右に連結棒をもって自由に連結して組み立てるものである。単位箱体どうしの連結は、所定位置に開孔した連結穴に連結棒（いわゆる"ダボ"）を差し込むことによって行っている。また、この整理棚には奥行き・幅・高さが単位箱体の倍数単位となる単位倍数箱体を組み込みことも可能である。
【０００７】
かかる構成の整理棚は、１個の単位箱体のみによって棚を構築する単独使用も可能であり、複数の単位箱体や単位倍数箱体を適宜に組み合わせた複数バリエーションの棚も構築できる。このため、その構成の自由度の範囲は、特許文献１の収納棚や特許文献２のシステム家具に比べて広いものであった。
【特許文献１】特開２０００−４１７６７号公報（第２―３頁、第１図）
【特許文献２】特開２００７−５４１８５号公報（第４−５頁、第１図）
【特許文献３】特開２００５−１２５０６８号公報（第２−３頁、第１図、第１０図）
【発明の開示】
【発明が解決しようとする課題】
【０００８】
特許文献３の整理棚は、公開公報によると、箱体どうしの連結用の連結穴を上面部及び下面部の隅の４箇所、側面部は中央部の上下の２箇所に配置する構成である。このため、箱体の上面部及び下面部は他の箱体の下面部又は上面部のみと連結し、側面部は他の箱体の側面部のみとの連結が可能となる構成であった。別言すれば、箱体の上面部又は下面部に他の箱体の側面部を組み付けることはできない構成であった。
【０００９】
かかる構成により、特許文献３の整理棚は、各箱体の設置方向は限定されることとなった。つまり、単位倍数箱体、例えば幅２倍箱体は幅（横）を長手方向とする矩形箱体であるが、これを９０度回転させて高さ（縦）を長手方向にして設置し、この設置状態で他の箱体との連結はできないものであった。したがって、矩形となる単位倍数箱体を用いる場合は、予め幅寸法、高さ寸法を設定した単位倍数箱体を用意する必要があり、整理棚の設置場所によって臨機応変に単位倍数箱体を回転させて連結する使用はできず、そのバリエーションは限定されるものであった。
【００１０】
そこで、本願発明は上記課題と要請に応えるべく提案するものであり、設置面や連結面を限定せず他の家具用ユニット等と連結を可能となる家具構成の自由度の範囲がより広い家具用ユニット、及びこれを用いた自由構成型家具を提供する。
【課題を解決するための手段】
【００１１】
上記課題を解決するために、本願発明にかかる家具用ユニット（以下、「本ユニット」と略称。）は、以下のように構成している。
【００１２】
すなわち、矩形面からなる六面体のうちの１対の対向面を開放し、該開放面（２１）を基準にして縦、横、寸法及びこれに垂直な奥行の寸法を設定してなる箱枠（２）と、該箱枠（２）を構成する矩形平板の突き合わせ角部の各辺（２２、２２、・・（以下「角辺」と称する。））を挟む木口領域の角辺対称の位置に、等間隔で奥行き方向に配列形成した２以上の連結部（３）と、から成ることを特徴としている。
【００１３】
ここで、「木口領域」とは、一定の厚さを持った板材を直角に突き合わせて角部を形成した場合に、角辺から連続する木口面を指し、角辺を挟んで直交する両部分の領域を言う。また「矩形面」には、長方形と正方形を含む。
【００１４】
上記連結部（３）の形成は、複数個の連結部（３）の間隔を等距離に設定することとしているが、さらにこの両端に位置する連結部（３）の形成は、直近の開放面（２１）から同一寸法位置に形成することが好ましい。これにより、複数個を連結した場合に、対向する開放面（２１）のいずれ側を正面としても面一にすることができ、組み立て時の奥行き方向の向きの配慮を省略することができる。
【００１５】
また、本ユニット（１）は、開放面（２１）の縦横寸法を変えた種々仕様に構成することができることに加えて、さらに奥行きを違えた仕様に構成することにより、多種多様なユニットを形成することができる。この場合の奥行き寸法は、上記した連結部（３）の配列構成を規定する角辺（２２）の構成を１の連結構成単位（４）とし、この連結構成単位（４）の複数個を配列形成したものに設定している。
【００１６】
かかる構成の本ユニット（１）は開放面以外の面の相互連結が可能となる。上記連結構成単位（４）は、両端側の連結部（３）の開放面（２１）からの寸法を、該連結部（３）の配列間隔の略半分に設定しても良い。
【００１７】
上述の連結部（３）の構成は、円柱棒状の連結片（３１）と、該連結片（３１）の両端部が密着嵌合し得る口径で形成した嵌合孔（３２）と、から構成するのが簡易かつ容易である。この連結片（３１）の具体例としては、太柄（ダボ）が好適であり、硬木部材、又は樹脂や金属で形成されるものである。また嵌合孔（３２）は太柄孔（ダボあな）と通称されている。
【００１８】
以上のように構成した本ユニット（１）は、縦、横、及び奥行き寸法を一定の規則性を持たせて適宜に設定して形成し、かつ連結部（３）は、４辺の角辺（２２）の各木口領域に連結部（３）どうしの結合によって使用者の好みに応じた適宜の仕様構成に組み立てる自由構成型家具（Ｆ（以下、「本家具」と称する。））を構成する１単位（ユニット）として用いるものである。
【００１９】
本家具（Ｆ）は、本ユニット（１）の同形及び（又は）異形の複数個を、４箇所の角辺（２２）の各木口領域に設けた連結部（３）を用いて着脱自在に連結させることによって、嗜好にしたがって自由な仕様に組み立て、かつ組み替え可能に構成している。この場合、本ユニット（１）の開放面（２１）を正面として、適宜に回転させて正面形を変えて連結させたり、又は前後にずらして連結することができる。
【００２０】
さらに、奥行きを板幅に合わせた平板状の板材を用いて、少なくともその両端部の片面又は両面に、前記連結構成単位（４）の構成に適応させた連結部（３）を板幅方向に形成した棚板（８）を、上記構成の本ユニット（１）と共に組合せて使用するようにしても良い。なお、本家具（Ｆ）の全背面側、又はいずれかの本ユニット（１）の背面側の開放面を板材等で閉塞するようにしても良い。
【００２１】
特許請求の範囲の書類と上記の課題を解決するための手段の欄で記載した括弧付き符号は、発明の構成の理解を容易にするため参考として図面符号を付記したもので、この図面上の形態に限定するものでないことはもちろんである。
【発明の効果】
【００２２】
本ユニットは、上記の構成を採ることより、以下の効果を奏する。
すなわち、箱枠の４箇所の角部の木口領域に連結部を配列形成しているため、開放面以外の全ての面を他の本ユニットの開放面以外の面の全てと連結することができる。このため、本ユニットはその開放面を基準に正面視で90度回転させて設置し、又は連結しての使用ができる。
【００２３】
また、本ユニットは、配列した連結部間の寸法（配列間隔）を統一した仕様とすると共に、奥行き寸法は、連結構成単位の整数倍に設定しているため、奥行き寸法が異なる本ユニットどうしの相互連結が可能である。また、連結構成単位については、両端側の連結部の開放面からの寸法を該連結部の配列間隔の半分に設定した場合には、連結した２つの本ユニットの奥行き方向を跨ぐようにして他の本ユニットを連結することができる。
【００２４】
そして、かかる本ユニットは、開放面の寸法及び奥行き寸法を種々に設定した同形及び（又は）異形の本ユニットを自由に連結して使用者の好みに合わせて組み立てることができると共に、連結を解除して別仕様に組み替えて再構築することができる自由構成型の本家具とすることができる。
【００２５】
この本家具は、構成単位である本ユニットが上述のように設置面や連結面を限定しない構成であるため、特に開放面の縦横寸法が異なる矩形状の本ユニットを用いる場合であっても開放面の縦寸法、横寸法を９０度回転させて縦横寸法を逆にして連結することができ、家具構成の自由度の範囲は格段に広くすることができる。
【００２６】
また、本家具は、両端部及び（又は）中間部に連結構成単位の連結部を形成した棚板を、縦及び横方向を限定せずに、かつ底面部、中間部、又は天面部に自由に組み入れて使用することもでき、さらなるバリエーションの拡がりを得るものである。
【発明を実施するための最良の形態】
【００２７】
以下に、本願発明にかかる本ユニット及びこれを用いた本家具の最良の実施形態例について、図面に基づき詳細に説明する。
【００２８】
図１は本実施例の本ユニットを示す斜視図であり、図２は本実施例の本ユニットの連結状態を示す斜視図であり、図３は本実施例の本ユニットのバリエーションを示す斜視図（Ａ）、（Ｂ）、（Ｃ）であり、図４及び図５は本実施例の本家具を示す斜視図であり、図６は本実施例の連結部の配列を変更した本ユニットの連結状態を示す斜視図である。
【００２９】
まず、本ユニット１は立方体（各面を正方形とする六面体）から１対の対向面を開放して開放面２１とする箱枠２の所定部位に連結部３を配列して成り、略筒状の外形を呈している。連結部３は、円柱棒状の連結片３１、いわゆる"ダボ"と、この連結片３１の両端部が密着嵌合し得る口径で形成した"ダボあな"と称する嵌合孔３２から成り、箱枠２の平板の突き合わせ形成される４箇所の角辺２２を挟む全ての木口領域の角辺対称な位置に配列形成している。連結部３の配列は相互間は等間隔（寸法ａ）に、かつ、配列の両端側は箱枠２の開放面２１から同一寸法（寸法ｂ）に設定している。ここで、かかる規則を基に形成した角辺２２の連結部構成仕様を「連結構成単位４」と定義する。
【００３０】
本実施例の本ユニット１は、矩形平板の木材を付き合わせるように接合して構成している。また、各角辺２２の寸法（又は本ユニット１の奥行き寸法）は上記の連結構成単位４の等倍に設定し、連結部３の配列は２個配列としている。なお、本ユニット１は前記のように木製板材を接合する構成に限定するものでなく、材質を金属や合成樹脂に変更しても良く、合成樹脂の場合は一体成形としても良い。また、箱枠２の背面側の開放面２１にはこれを閉塞する背板９を配置しても良い。
【００３１】
上記構成の複数の本ユニット１は、図２に示すように、開放面以外の面を木口領域に配列形成した複数の連結部３をもって相互に連結することができる。具体的には、位置合わせてして対向する２つの嵌合孔３２の両方に連結片３１を嵌合させて連結するものである。連結片３１と嵌合孔３２の嵌合公差は本ユニット１どうしの組立性や分解性を考慮して適当に調整する必要がある。なお、連結片３１は本実施例では硬木部材であるが、樹脂や金属でも良く、これと合わせて嵌合孔３２の付近を別材質として補強しても良い。
【００３２】
また、本ユニット１は開放面２１の大きさを適宜に変更して矩形立体形状の外観を呈するようにしても良く、これと併せて奥行き寸法を変更しても良い。ただし、奥行き寸法は、連結構成単位４の整数倍に限定されるものである。このように開放面２１の大きさや奥行きを変更して構成した本ユニット１の例として、小型をＡユニット５、中型をＢユニット６、大型をＣユニット７と称して図３の（Ａ）、（Ｂ）、（Ｃ）に示す。Ａユニット５は横寸法を短く設定したものであり、Ｂユニット６は横寸法を大きく、かつ奥行き寸法を連結構成単位４の２倍に設定したものであり、Ｃユニット７は縦及び横寸法を大きく、かつ奥行き寸法を連結構成単位４の２倍に設定したものである。
【００３３】
次に、本家具Ｆは上記構成の本ユニット１、Ａユニット５、Ｂユニット６、Ｃユニット７を適宜の仕様構成により連結させることより組み立てている。本家具Ｆの連結時においては、連結部３の配列は開放面以外の全ての面において連結構成単位４の整数倍の関係であるため、奥行き寸法が異なる本ユニットどうしでも連結が可能である。また、開放面２１が矩形状となるＡユニット５とＢユニット６に関しては、正面とする縦開放面２１を基準として９０度回転させて縦及び横寸法を逆にして連結することができる。
【００３４】
また、本家具Ｆは各本ユニット１、５、６、７の他にも、図５に示すように、幅及び連結部３の配列を連結構成単位４の整数倍に設定した複数の棚板８を組み入れて適宜の仕様構成に組み立てることも可能である。棚板８は前述の構成のため、各本ユニット１、５、６、７と水平又は鉛直方向に適宜に連結することができる。
【００３５】
各本ユニット１、５、６、７及び棚板８の連結構成単位４は、各連結部３の相互間を等間隔（寸法ａ）に、かつ、配列の両端側を箱枠２の開放面２１から同一寸法（寸法ｂ）としているが、配列の両端側の連結部３の開放面２１からの寸法を、該連結部３の配列間隔の半分（寸法ａ／２）に設定するようにしても良い。かかる連結構成単位４とした場合、図６に示すように、開放面２１を接合させて設置した本ユニット間を跨ぐように他の本ユニットどうしを連結することが可能となる。このため、本ユニット間の連結の自由度がさらに増す結果、本家具Ｆの構成のバリエーション数は飛躍的に増加することとなる。
【図面の簡単な説明】
【００３６】
【図１】本実施例の本ユニットを示す斜視図である。
【図２】本実施例の本ユニットの連結状態を示す斜視図である。
【図３】本実施例の本ユニットのバリエーションを示す斜視図（Ａ）、（Ｂ）、（Ｃ）である。
【図４】本実施例の本家具を示す斜視図である。
【図５】本実施例の本家具を示す斜視図である。
【図６】本実施例の連結部の配列を変更した本ユニットの連結状態を示す斜視図である。
【符号の説明】
【００３７】
Ｆ  本家具
１  本ユニット
２  箱枠
２１  開放面
２２  角辺
３  連結部
３１  連結片
３２  嵌合孔
４  連結構成単位
５  Ａユニット
６  Ｂユニット
７  Ｃユニット
８  棚板
９  背板
【図１】
2009125095.tif 000003
【図２】
2009125095.tif 000004
【図３】
2009125095.tif 000005
【図４】
2009125095.tif 000006
【図５】
2009125095.tif 000007
【図６】
2009125095.tif 000008